(57)【要約】【課題】第１吐出部が再び下側に向けられた時に液状糊を第１吐出部から迅速に吐出する。【解決手段】液状糊１を収容した容器本体２と、容器本体２内に収容された液状糊１を吐出するための第１吐出部３とを具備し、液状糊１が第１吐出部３から吐出される時に第１吐出部３が下側に向けられ、液状糊１が第１吐出部３から吐出されない時に第１吐出部３が上側に向けられるように構成された液状糊容器において、第１吐出部３が下側に向けられた状態から第１吐出部３が上側に向けられた状態に切り換えられた時に液状糊１を第１吐出部３の近傍に少なくとも一時的に保持するための糊溜まり部４を設けた。第１吐出部３が再び下側に向けられた時には、糊溜まり部４に保持されていた液状糊１が、第１吐出部３に供給され、迅速に吐出される。【選択図】図１
2007021737.tif 000002
【特許請求の範囲】
【請求項１】
液状糊を収容した容器本体と、前記容器本体内に収容された液状糊を吐出するための吐出部とを具備し、液状糊が前記吐出部から吐出される時に前記吐出部が下側に向けられ、液状糊が前記吐出部から吐出されない時に前記吐出部が上側に向けられるように構成された液状糊容器において、前記吐出部が下側に向けられた状態から前記吐出部が上側に向けられた状態に切り換えられた時に液状糊を前記吐出部の近傍に少なくとも一時的に保持するための保持手段を設けたことを特徴とする液状糊容器。
【請求項２】
前記容器本体と前記吐出部とを互いに螺合結合可能に構成し、前記容器本体と前記吐出部とによって前記保持手段を狭持したことを特徴とする請求項１に記載の液状糊容器。
【請求項３】
前記容器本体と前記吐出部とによって狭持されるフランジ部を前記保持手段に設けたことを特徴とする請求項２に記載の液状糊容器。
【請求項４】
少なくとも一時的に保持される液状糊を収容するための筒状部を前記保持手段に設け、前記フランジ部を隔てて前記吐出部の反対側に前記筒状部を配置したことを特徴とする請求項３に記載の液状糊容器。
【請求項５】
前記筒状部の両端面のうち、前記吐出部の側の端面を全面的に開口させ、前記吐出部の反対側の端面を部分的に開口させたことを特徴とする請求項４に記載の液状糊容器。
【請求項６】
前記吐出部の反対側の端面にメッシュ部を設けたことを特徴とする請求項５に記載の液状糊容器。
【請求項７】
前記吐出部の反対側の端面に漏斗部を設けたことを特徴とする請求項５に記載の液状糊容器。
【請求項８】
液状糊を収容した容器本体と、前記容器本体内に収容された液状糊を吐出するための吐出部とを具備し、液状糊が前記吐出部から吐出される時に前記吐出部が下側に向けられ、液状糊が前記吐出部から吐出されない時に前記吐出部が上側に向けられるように構成された液状糊容器において、前記吐出部が下側に向けられた状態から前記吐出部が上側に向けられた状態に切り換えられた時に前記容器本体内の液状糊が前記吐出部から遠ざかるのを抑制するための移動抑制手段を前記吐出部の近傍に配置したことを特徴とする液状糊容器。
【請求項９】
前記吐出部が下側に向けられた状態から前記吐出部が上側に向けられた状態に切り換えられた時に前記容器本体内の液状糊が前記吐出部から遠ざかるのを抑制するためのメッシュ部を前記吐出部の近傍に配置したことを特徴とする請求項８に記載の液状糊容器。
【請求項１０】
前記吐出部が下側に向けられた状態から前記吐出部が上側に向けられた状態に切り換えられた時に前記容器本体内の液状糊が前記吐出部から遠ざかるのを抑制するための漏斗部を前記吐出部の近傍に配置したことを特徴とする請求項８に記載の液状糊容器。
【発明の詳細な説明】
【技術分野】
【０００１】
本発明は、液状糊が吐出部から吐出される時に吐出部が下側に向けられ、液状糊が吐出部から吐出されない時に吐出部が上側に向けられるように構成された液状糊容器に関し、特には、吐出部が再び下側に向けられた時に液状糊を吐出部から迅速に吐出することができる液状糊容器に関する。
【背景技術】
【０００２】
従来から、液状糊を収容した容器本体と、容器本体内に収容された液状糊を吐出するための第１吐出部と、容器本体内に収容された液状糊を吐出するために容器本体を隔てて第１吐出部の反対側に配置された第２吐出部とを具備し、液状糊が第１吐出部から吐出される時に第１吐出部が下側に向けられ、液状糊が第１吐出部から吐出されない時に第１吐出部が上側に向けられるように構成された液状糊容器が知られている。この種の液状糊容器の例としては、例えば特開平９−２８６２００号公報に記載されたものがある。
【０００３】
特開平９−２８６２００号公報に記載された液状糊容器では、第２吐出部を覆うためのキャップが設けられており、そのキャップの端部は、第１吐出部を上側に向けて液状糊容器を例えば机上に載置する時に液状糊容器の座面として機能する。つまり、特開平９−２８６２００号公報に記載された液状糊容器は、液状糊が第１吐出部から吐出される時に、第１吐出部が下側に向けられた状態で把持され、液状糊が第１吐出部から吐出されない時に、第１吐出部が上側に向けられた状態で例えば机上に載置されるように構成されている。
【０００４】
換言すれば、特開平９−２８６２００号公報に記載された液状糊容器は、例えば液状糊が第１吐出部から間欠的に吐出される場合におけるインターバルの期間中のような、第１吐出部から液状糊が吐出されてから次に液状糊が第１吐出部から吐出されるまでの期間中においても、第１吐出部が上側に向けられるように構成されている。
【０００５】
ところが、特開平９−２８６２００号公報に記載された液状糊容器では、上述したインターバルの期間中に容器本体内の液状糊が第１吐出部の近傍から第２吐出部の側に自重によって落下してしまうのを抑制するための手段が設けられていない。そのため、特開平９−２８６２００号公報に記載された液状糊容器では、上述したインターバルの期間中に容器本体内の液状糊が第１吐出部の近傍から第２吐出部の側に自重によって落下してしまうおそれがある。
【０００６】
仮に、上述したインターバルの期間中に、容器本体内の液状糊が、第１吐出部の近傍から第２吐出部の側に自重によって落下し、第１吐出部の近傍から遠ざかってしまうと、上述したインターバルの期間終了後に、第１吐出部を下側に向けても、容器本体内の液状糊が第１吐出部の近傍まで移動するのに比較的長い時間を要してしまい、その結果、液状糊を吐出部から迅速に吐出することができなくなってしまう。
【０００７】
特に、容器本体内の液状糊の残量が少ない時や、例えば冬期のような気温が低く液状糊の粘性が大きい時には、容器本体内の液状糊が第１吐出部の近傍まで移動するのに非常に長い時間を要してしまい、その結果、液状糊を第１吐出部から吐出するのに非常に長い時間を要してしまうおそれがある。
【０００８】
【特許文献１】特開平９−２８６２００号公報
【発明の開示】
【発明が解決しようとする課題】
【０００９】
前記問題点に鑑み、本発明は、吐出部が再び下側に向けられた時に液状糊を吐出部から迅速に吐出することができる液状糊容器を提供することを目的とする。
【課題を解決するための手段】
【００１０】
請求項１に記載の発明によれば、液状糊を収容した容器本体と、前記容器本体内に収容された液状糊を吐出するための吐出部とを具備し、液状糊が前記吐出部から吐出される時に前記吐出部が下側に向けられ、液状糊が前記吐出部から吐出されない時に前記吐出部が上側に向けられるように構成された液状糊容器において、前記吐出部が下側に向けられた状態から前記吐出部が上側に向けられた状態に切り換えられた時に液状糊を前記吐出部の近傍に少なくとも一時的に保持するための保持手段を設けたことを特徴とする液状糊容器が提供される。
【００１１】
請求項２に記載の発明によれば、前記容器本体と前記吐出部とを互いに螺合結合可能に構成し、前記容器本体と前記吐出部とによって前記保持手段を狭持したことを特徴とする請求項１に記載の液状糊容器が提供される。
【００１２】
請求項３に記載の発明によれば、前記容器本体と前記吐出部とによって狭持されるフランジ部を前記保持手段に設けたことを特徴とする請求項２に記載の液状糊容器が提供される。
【００１３】
請求項４に記載の発明によれば、少なくとも一時的に保持される液状糊を収容するための筒状部を前記保持手段に設け、前記フランジ部を隔てて前記吐出部の反対側に前記筒状部を配置したことを特徴とする請求項３に記載の液状糊容器が提供される。
【００１４】
請求項５に記載の発明によれば、前記筒状部の両端面のうち、前記吐出部の側の端面を全面的に開口させ、前記吐出部の反対側の端面を部分的に開口させたことを特徴とする請求項４に記載の液状糊容器が提供される。
【００１５】
請求項６に記載の発明によれば、前記吐出部の反対側の端面にメッシュ部を設けたことを特徴とする請求項５に記載の液状糊容器が提供される。
【００１６】
請求項７に記載の発明によれば、前記吐出部の反対側の端面に漏斗部を設けたことを特徴とする請求項５に記載の液状糊容器が提供される。
【００１７】
請求項８に記載の発明によれば、液状糊を収容した容器本体と、前記容器本体内に収容された液状糊を吐出するための吐出部とを具備し、液状糊が前記吐出部から吐出される時に前記吐出部が下側に向けられ、液状糊が前記吐出部から吐出されない時に前記吐出部が上側に向けられるように構成された液状糊容器において、前記吐出部が下側に向けられた状態から前記吐出部が上側に向けられた状態に切り換えられた時に前記容器本体内の液状糊が前記吐出部から遠ざかるのを抑制するための移動抑制手段を前記吐出部の近傍に配置したことを特徴とする液状糊容器が提供される。
【００１８】
請求項９に記載の発明によれば、前記吐出部が下側に向けられた状態から前記吐出部が上側に向けられた状態に切り換えられた時に前記容器本体内の液状糊が前記吐出部から遠ざかるのを抑制するためのメッシュ部を前記吐出部の近傍に配置したことを特徴とする請求項８に記載の液状糊容器が提供される。
【００１９】
請求項１０に記載の発明によれば、前記吐出部が下側に向けられた状態から前記吐出部が上側に向けられた状態に切り換えられた時に前記容器本体内の液状糊が前記吐出部から遠ざかるのを抑制するための漏斗部を前記吐出部の近傍に配置したことを特徴とする請求項８に記載の液状糊容器が提供される。
【発明の効果】
【００２０】
請求項１に記載の液状糊容器では、吐出部が下側に向けられた状態から吐出部が上側に向けられた状態に切り換えられた時に液状糊を吐出部の近傍に少なくとも一時的に保持するための保持手段が設けられている。
【００２１】
つまり、請求項１に記載の液状糊容器では、吐出部が下側に向けられた後に吐出部が上側に向けられると、容器本体内のすべての液状糊が吐出部から離れた位置まで移動してしまうのではなく、容器本体内の液状糊の一部が、保持手段によって吐出部の近傍に少なくとも一時的に保持される。次いで、吐出部が再び下側に向けられると、保持手段によって吐出部の近傍に保持されていた液状糊が吐出部まで移動し、吐出部から吐出される。
【００２２】
そのため、請求項１に記載の液状糊容器によれば、液状糊を吐出部の近傍に保持するための保持手段が設けられていない場合よりも、吐出部が再び下側に向けられた時に液状糊を吐出部から迅速に吐出することができる。
【００２３】
請求項２及び３に記載の液状糊容器では、互いに螺合結合せしめられる容器本体と吐出部とによって保持手段が狭持されている。好ましくは、容器本体と吐出部とによって狭持されるフランジ部が保持手段に設けられている。そのため、容器本体に対して吐出部を結合するための手段とは別個に、容器本体または吐出部に対して保持手段を結合するための手段を設ける必要性を排除することができる。
【００２４】
請求項４に記載の液状糊容器では、少なくとも一時的に保持される液状糊を収容するための筒状部が、フランジ部を隔てて吐出部の反対側に配置されている。つまり、少なくとも一時的に保持される液状糊を収容するための筒状部が、容器本体の入口部から容器本体の内側に入り込んで配置されている。そのため、筒状部が設けられていない場合や、筒状部が容器本体の内側に入り込んで配置されていない場合よりも、保持手段によって保持可能な液状糊の量を多くすることができる。
【００２５】
請求項５〜７に記載の液状糊容器では、筒状部の両端面のうち、吐出部の側の端面が全面的に開口せしめられている。そのため、吐出部が再び下側に向けられた時に液状糊を筒状部から吐出部に迅速に移動させることができる。
【００２６】
更に、請求項５〜７に記載の液状糊容器では、筒状部の両端面のうち、吐出部の反対側の端面が部分的に開口せしめられている。換言すれば、筒状部の両端面のうち、吐出部の反対側の端面が部分的に閉じられている。好ましくは、筒状部の両端面のうち、吐出部の反対側の端面にメッシュ部あるいは漏斗部が設けられている。そのため、吐出部が下側に向けられた状態から吐出部が上側に向けられた状態に切り換えられた時に、液状糊が筒状部を通過して吐出部から遠ざかってしまうのを遅らせることができる。換言すれば、吐出部が下側に向けられた状態から吐出部が上側に向けられた状態に切り換えられた時に、液状糊を筒状部内に少なくとも一時的に保持することができる。
【００２７】
請求項８〜１０に記載の液状糊容器では、吐出部が下側に向けられた状態から吐出部が上側に向けられた状態に切り換えられた時に容器本体内の液状糊が吐出部から遠ざかるのを抑制するための移動抑制手段が吐出部の近傍に配置されている。好ましくは、吐出部が下側に向けられた状態から吐出部が上側に向けられた状態に切り換えられた時に容器本体内の液状糊が吐出部から遠ざかるのを抑制するためのメッシュ部または漏斗部が吐出部の近傍に配置されている。
【００２８】
そのため、請求項８〜１０に記載の液状糊容器によれば、吐出部が下側に向けられた状態から吐出部が上側に向けられた状態に切り換えられた時に容器本体内のすべての液状糊が吐出部から遠ざかってしまうのを抑制することができる。
【００２９】
すなわち、請求項８〜１０に記載の液状糊容器によれば、吐出部が下側に向けられた状態から吐出部が上側に向けられた状態に切り換えられた時に容器本体内のすべての液状糊が吐出部から遠ざかってしまうのに伴って、吐出部が再び下側に向けられた時に液状糊が吐出部の近傍に到達するのに要する時間が長くなってしまうのを抑制することができる。
【００３０】
換言すれば、請求項８〜１０に記載の液状糊容器によれば、吐出部が再び下側に向けられた時に液状糊を吐出部から迅速に吐出することができる。
【発明を実施するための最良の形態】
【００３１】
以下、本発明の液状糊容器の第１の実施形態について説明する。図１は第１の実施形態の液状糊容器の断面図である。図１において、１は液状糊を示しており、２は液状糊１を収容した容器本体を示している。容器本体２は、例えば樹脂によって形成されている。好ましくは、容器本体２内に収容された液状糊１の残量を外部から視認できるようにするために、容器本体２は透明または半透明な材料によって形成されている。
【００３２】
また、図１において、３は容器本体２内に収容された液状糊１を吐出するための第１吐出部を示しており、４は第１吐出部３の近傍に液状糊１を一時的に溜めておくための糊溜まり部を示している。５は第１吐出部３を覆うためのキャップを示しており、６は容器本体２内に収容された液状糊１を吐出するための第２吐出部を示しており、７は第２吐出部６を覆うためのキャップを示している。
【００３３】
第１の実施形態の液状糊容器では、少量の液状糊１を吐出することが要求される場合のために、径が小さい吐出用開口３ａ１（図３参照）を備えた第１吐出部３が設けられ、更に、多量の液状糊１を吐出することが要求される場合のために、径が大きい吐出用開口６ａ１（図６参照）を備えた第２吐出部６が設けられている。
【００３４】
第１の実施形態の液状糊容器は、第１吐出部３および第２吐出部６のいずれからも液状糊１が吐出されない時に、図１に示すように、第１吐出部３が上側に向けられ、キャップ６の下面が座面として用いられて、例えば机上に載置されるように構成されている。
【００３５】
図２は図１に示した容器本体２の部品図である。図１および図２に示すように、容器本体２は、第１吐出部３が結合せしめられる第１上側端部２ａと、キャップ５が結合せしめられる第２上側端部２ｂと、中央部２ｃと、第２吐出部６およびキャップ７が結合せしめられる下側端部２ｄとによって構成されている。
【００３６】
図２において、２ａ１は第１上側端部２ａの上側端面を示しており、２ａ２は第１上側端部２ａの雄ねじ部を示しており、２ａ３は第１上側端部２ａの内周面を示している。２ｂ１は第２上側端部２ｂの雄ねじ部を示している。２ｄ１は下側端部２ｄの下側端面を示しており、２ｄ２は下側端部２ｄの雄ねじ部を示しており、２ｄ３は下側端部２ｄの内周面を示している。
【００３７】
図３は図１に示した第１吐出部３の部品図である。図３に示すように、第１吐出部３は、吐出用開口３ａ１が形成された上側端部３ａと、中央部３ｂと、下側端部３ｃとによって構成されている。図３において、３ｂ１は中央部３ｂの下側端面を示しており、３ｃ１は容器本体２の雄ねじ部２ａ２（図２参照）と螺合するために下側端部３ｃの内周面に形成された雌ねじ部を示している。
【００３８】
図４は図１に示した糊溜まり部４の部品図である。図４に示すように、糊溜まり部４は、筒状部４ａと、フランジ部４ｂとによって構成されている。図４において、４ａ１は筒状部４ａの上側端面を示しており、４ａ２は筒状部４ａの下側端面を示しており、４ａ２ａは筒状部４ａの下側端面４ａ２に配置されたメッシュ部材を示している。
【００３９】
第１の実施形態の液状糊容器では、図１〜図４に示すように、糊溜まり部４のフランジ部４ｂが、容器本体２の第１上側端部２ａの上側端面２ａ１と、第１吐出部３の中央部３ｂの下側端面３ｂ１とによって狭持されている。また、糊溜まり部４の筒状部４ａの外周面が、容器本体２の第１上側端部２ａの内周面２ａ３と嵌合せしめられている。つまり、糊溜まり部４が、容器本体２と第１吐出部３とによって狭持されている。
【００４０】
更に、第１の実施形態の液状糊容器では、図１〜図４に示すように、糊溜まり部４の筒状部４ａが、容器本体２の第１上側端部２ａの上側端面２ａ１から容器本体２の内側に入り込むように配置されている。つまり、容器本体２内の空間が、液状糊１を第１吐出部３の近傍に溜めておくための空間として利用されている。
【００４１】
また、第１の実施形態の液状糊容器では、図４に示すように、糊溜まり部４の筒状部４ａの上側端面４ａ１が全面的に開口せしめられ、糊溜まり部４の筒状部４ａの下側端面４ａ２が、メッシュ部材４ａ２ａによって部分的に開口せしめられている。
【００４２】
第１の実施形態の液状糊容器では、糊溜まり部４の筒状部４ａとフランジ部４ｂとが一部材によって形成されている。また、筒状部４ａおよびフランジ部４ｂとは別個の部材によって形成されたメッシュ部材４ａ２ａが、例えば接着によって筒状部４ａの下側端面４ａ２取り付けられている。第１の実施形態の液状糊容器の変形例では、代わりに、糊溜まり部４の筒状部４ａとフランジ部４ｂとメッシュ部材４ａ２ａとを一部材によって形成することも可能である。
【００４３】
図５は図１に示したキャップ５の部品図である。図５において、５ａは第１吐出部３の吐出用開口３ａ１（図３参照）を塞ぐための栓部を示しており、５ｂは容器本体２の雄ねじ部２ｂ１（図２参照）と螺合するための雌ねじ部を示しており、５ｃは容器本体２の中央部２ｃ（図２参照）まで延びているスカート部を示している。
【００４４】
図６は図１に示した第２吐出部６の部品図である。図６に示すように、第２吐出部６は、吐出用開口６ａ１が形成された下側端部６ａと、中央部６ｂと、上側端部６ｃとによって構成されている。図６において、６ａ２は吐出用開口６ａ１から吐出された液状糊１を被塗布物（図示せず）に塗布するための塗布部を示している。６ｂ１は容器本体２の下側端部２ｄの下側端面２ｄ１（図２参照）に突き当てられる上側端面を示している。６ｃ１は容器本体２の下側端部２ｄの内周面２ｄ３（図２参照）と嵌合せしめられる外周面を示している。詳細には、第２吐出部６の上側端部６ｃの外周面６ｃ１と、容器本体２の下側端部２ｄの内周面２ｄ３（図２参照）とによって締まり嵌めが構成されている。
【００４５】
図７は図１に示したキャップ７の部品図である。図７において、７ａは第２吐出部６の吐出用開口６ａ１（図６参照）を塞ぐための栓部を示しており、７ｂは容器本体２の雄ねじ部２ｄ２（図２参照）と螺合するための雌ねじ部を示しており、７ｃは容器本体２の中央部２ｃ（図２参照）まで延びているスカート部を示している。
【００４６】
図８は液状糊１が第１吐出部３から吐出される時における容器本体２内の液状糊１の状態および液状糊１が第１吐出部３から吐出されない時における容器本体２内の液状糊１の状態を示した図である。
【００４７】
図８（Ａ）に示すように、液状糊１が第１吐出部３から吐出される時には、キャップ５（図１参照）が容器本体２から取り外され、第１吐出部３が下側に向けられる。その結果、容器本体２内の液状糊１が、自重によって第１吐出部３の近傍に移動する。次いで、容器本体２の中央部２ｃ（図２参照）が押圧されると、容器本体２内の液状糊１が、第１吐出部３の吐出用開口３ａ１（図３参照）から吐出される。
【００４８】
次いで、図８（Ｂ）に示すように、液状糊１が第１吐出部３から吐出されない時には、第１吐出部３が上側に向けられる。例えば液状糊１が第１吐出部３から間欠的に吐出される場合におけるインターバルの期間中のような、第１吐出部３から液状糊１が吐出されてから次に液状糊１が第１吐出部３から吐出されるまでの期間中においても、図８（Ｂ）に示すように、第１吐出部３が上側に向けられる。
【００４９】
第１の実施形態の液状糊容器では、図８（Ｂ）に示すように、糊溜まり部４が第１吐出部３の近傍に配置されているため、第１吐出部３が上側に向けられた時に、容器本体２内のすべての液状糊１が第１吐出部３の近傍から第２吐出部６の近傍まで自重によって落下してしまうのではなく、容器本体２内の液状糊１の一部が、糊溜まり部４の筒状部４ａ（図４参照）内に溜められ、第１吐出部３の近傍に一時的に保持される。
【００５０】
詳細には、第１の実施形態の液状糊容器では、糊溜まり部４の筒状部４ａの下側端面４ａ２にメッシュ部材４ａ２ａ（図４参照）が配置されているため、図８（Ｂ）に示すように、第１吐出部３が上側に向けられた時に、メッシュ部材４ａ２ａの上側に位置する液状糊１が、メッシュ部材４ａ２ａによって、第１吐出部３の近傍に一時的に保持される。次いで、時間の経過と共に、メッシュ部材４ａ２ａの上側に位置する液状糊１が、メッシュ部材４ａ２ａを低速で通過せしめられ、第２吐出部６の近傍まで自重によって落下する。
【００５１】
つまり、第１の実施形態の液状糊容器では、図８（Ａ）に示すように第１吐出部３が下側に向けられた状態から図８（Ｂ）に示すように第１吐出部３が上側に向けられた状態に切り換えられた時に、糊溜まり部４の筒状部４ａおよびメッシュ部材４ａ２ａ（図４参照）が、容器本体２内の液状糊１の一部を筒状部４ａ内に溜めておく機能、すなわち、第１吐出部３の近傍に一時的に保持する機能を有する。そのため、第１の実施形態の液状糊容器では、図８（Ａ）に示すように第１吐出部３が再び下側に向けられた時、第２吐出部６の近傍に位置していた液状糊１（図８（Ｂ）参照）が第１吐出部３の近傍まで移動してくる前に、糊溜まり部４の筒状部４ａ内に保持されていた液状糊１（図８（Ｂ）参照）が、第１吐出部３の吐出用開口３ａ１に供給される。その結果、第１の実施形態の液状糊容器によれば、図８（Ａ）に示すように第１吐出部３が再び下側に向けられた時に、液状糊１を第１吐出部３から迅速に吐出することができる。
【００５２】
更に、第１の実施形態の液状糊容器では、図８（Ａ）に示すように第１吐出部３が下側に向けられた状態から図８（Ｂ）に示すように第１吐出部３が上側に向けられた状態に切り換えられた時に、糊溜まり部４のメッシュ部材４ａ２ａ（図４参照）が、第１吐出部３の近傍から第２吐出部６の近傍まで容器本体２内の液状糊１を低速で移動させる機能を有する。換言すれば、図８（Ａ）に示すように第１吐出部３が下側に向けられた状態から図８（Ｂ）に示すように第１吐出部３が上側に向けられた状態に切り換えられた時に、第１吐出部３の近傍から第２吐出部６の近傍への容器本体２内の液状糊１の移動を抑制する機能を、糊溜まり部４のメッシュ部材４ａ２ａ（図４参照）が有する。
【００５３】
そのため、第１の実施形態の液状糊容器では、図８（Ｂ）に示すように第１吐出部３が上側に向けられた状態から図８（Ａ）に示すように第１吐出部３が再び下側に向けられた状態に切り換えられた時に、容器本体２内の液状糊１の一部が、糊溜まり部４のメッシュ部材４ａ２ａ（図４参照）と、第１吐出部３の吐出用開口３ａ１（図３参照）との間に残されている。それゆえ、第１の実施形態の液状糊容器では、図８（Ａ）に示すように第１吐出部３が再び下側に向けられた時、第２吐出部６の近傍に位置していた液状糊１（図８（Ｂ）参照）が第１吐出部３の近傍まで移動してくる前に、糊溜まり部４のメッシュ部材４ａ２ａと第１吐出部３の吐出用開口３ａ１との間に残されていた液状糊１（図８（Ｂ）参照）が、第１吐出部３の吐出用開口３ａ１に供給される。その結果、第１の実施形態の液状糊容器によれば、図８（Ａ）に示すように第１吐出部３が再び下側に向けられた時に、液状糊１を第１吐出部３から迅速に吐出することができる。
【００５４】
上述したように、第１の実施形態の液状糊容器では、図８（Ａ）に示すように第１吐出部３が下側に向けられた状態から図８（Ｂ）に示すように第１吐出部３が上側に向けられた状態に切り換えられた時に容器本体２内の液状糊１の一部を筒状部４ａ内に溜めておく機能と、その時に第１吐出部３の近傍から第２吐出部６の近傍への容器本体２内の液状糊１の移動を抑制する機能とが備えられている。そのため、第１の実施形態の液状糊容器によれば、図８（Ａ）に示すように第１吐出部３が再び下側に向けられた時に、液状糊１を第１吐出部３から迅速に吐出することができる。
【００５５】
更に、第１の実施形態の液状糊容器では、図１〜図４に示したように、互いに螺合結合せしめられる容器本体２と第１吐出部３とによって糊溜まり部４が狭持されている。そのため、第１の実施形態の液状糊容器によれば、容器本体２または第１吐出部３に対して糊溜まり部４を結合するために、例えばねじ部のような手段を、雄ねじ部２ａ２および雌ねじ部３ｃ１とは別個に設ける必要性を排除することができる。
【００５６】
また、第１の実施形態の液状糊容器では、図１、図２および図４に示したように、一時的に保持される液状糊１を収容するための筒状部４ａが、フランジ部４ｂを隔てて第１吐出部３の反対側に配置されている。つまり、筒状部４ａが、容器本体２の上側端面２ａ１から容器本体２の内側に入り込んで配置されている。そのため、筒状部４ａが設けられていない場合や、筒状部４ａが容器本体２の内側に入り込んで配置されていない場合よりも、筒状部４ａの容積を大きくすることができ、その結果、糊溜まり部４によって保持可能な液状糊１の量を多くすることができる。
【００５７】
更に、第１の実施形態の液状糊容器では、図４に示したように、筒状部４ａの上側端面４ａ１が全面的に開口せしめられている。そのため、図８（Ａ）に示すように第１吐出部３が再び下側に向けられた時に、筒状部４ａ内の液状糊１（図８（Ｂ）参照）を第１吐出部３に迅速に移動させることができる。
【００５８】
また、第１の実施形態の液状糊容器では、図４に示したように、筒状部４ａの下側端面４ａ２が部分的に開口せしめられている。換言すれば、筒状部４ａの下側端面４ａ２がメッシュ部材４ａ２ａによって部分的に閉じられている。そのため、第１の実施形態の液状糊容器によれば、図８（Ａ）に示すように第１吐出部３が下側に向けられた状態から図８（Ｂ）に示すように第１吐出部３が上側に向けられた状態に切り換えられた時に、液状糊１が筒状部４ａの下側端面４ａ２を通過して第１吐出部３から遠ざかってしまうのを遅らせることができる。換言すれば、図８（Ａ）に示すように第１吐出部３が下側に向けられた状態から図８（Ｂ）に示すように第１吐出部３が上側に向けられた状態に切り換えられた時に、液状糊１を筒状部４ａの下側端面４ａ２より上側に一時的に保持することができる。
【００５９】
以下、本発明の液状糊容器の第２の実施形態について説明する。第２の実施形態の液状糊容器は、後述する点を除き、上述した第１の実施形態の液状糊容器とほぼ同様に構成されている。従って、第２の実施形態の液状糊容器によれば、後述する点を除き、上述した第１の実施形態の液状糊容器とほぼ同様の効果を奏することができる。
【００６０】
図９は第２の実施形態の糊溜まり部１４の部品図である。第２の実施形態の液状糊容器では、図４に示した糊溜まり部４の代わりに、図９に示す糊溜まり部１４が設けられている。
【００６１】
図９に示すように、糊溜まり部１４は、外側筒状部１４ａと、フランジ部１４ｂと、漏斗部１４ｃと、内側筒状部１４ｄとによって構成されている。図９において、１４ａ１は外側筒状部１４ａの上側端面を示しており、１４ａ２は外側筒状部１４ａの下側端面を示している。
【００６２】
図１０は液状糊１が第１吐出部３から吐出される時における容器本体２内の液状糊１の状態および液状糊１が第１吐出部３から吐出されない時における容器本体２内の液状糊１の状態を示した図である。
【００６３】
図１０（Ａ）に示すように、液状糊１が第１吐出部３から吐出される時には、キャップ５（図１参照）が容器本体２から取り外され、第１吐出部３が下側に向けられる。その結果、容器本体２内の液状糊１が、自重によって第１吐出部３の近傍に移動する。次いで、容器本体２の中央部２ｃ（図２参照）が押圧されると、容器本体２内の液状糊１が、第１吐出部３の吐出用開口３ａ１（図３参照）から吐出される。
【００６４】
次いで、図１０（Ｂ）に示すように、液状糊１が第１吐出部３から吐出されない時には、第１吐出部３が上側に向けられる。例えば液状糊１が第１吐出部３から間欠的に吐出される場合におけるインターバルの期間中のような、第１吐出部３から液状糊１が吐出されてから次に液状糊１が第１吐出部３から吐出されるまでの期間中においても、図１０（Ｂ）に示すように、第１吐出部３が上側に向けられる。
【００６５】
第２の実施形態の液状糊容器では、図１０（Ｂ）に示すように、糊溜まり部１４が第１吐出部３の近傍に配置されているため、第１吐出部３が上側に向けられた時に、容器本体２内のすべての液状糊１が第１吐出部３の近傍から第２吐出部６の近傍まで自重によって落下してしまうのではなく、容器本体２内の液状糊１の一部が、糊溜まり部１４の外側筒状部１４ａと漏斗部１４ｃと内側筒状部１４ｄ（図９参照）とによって画定される空間内に溜められ、第１吐出部３の近傍に保持される。
【００６６】
詳細には、第２の実施形態の液状糊容器では、糊溜まり部１４の漏斗部１４ｃによって液状糊１の流路が絞られているため、図１０（Ｂ）に示すように、第１吐出部３が上側に向けられた時に、糊溜まり部１４の上側に位置する液状糊１が、糊溜まり部１４を低速で通過せしめられ、第２吐出部６の近傍まで自重によって落下する。
【００６７】
つまり、第２の実施形態の液状糊容器では、図１０（Ａ）に示すように第１吐出部３が下側に向けられた状態から図１０（Ｂ）に示すように第１吐出部３が上側に向けられた状態に切り換えられた時に、糊溜まり部１４の外側筒状部１４ａ、漏斗部１４ｃおよび内側筒状部１４ｄ（図９参照）が、容器本体２内の液状糊１の一部を糊溜まり部１４内に溜めておく機能、すなわち、第１吐出部３の近傍に保持する機能を有する。そのため、第２の実施形態の液状糊容器では、図１０（Ａ）に示すように第１吐出部３が再び下側に向けられた時、第２吐出部６の近傍に位置していた液状糊１（図１０（Ｂ）参照）が第１吐出部３の近傍まで移動してくる前に、糊溜まり部１４内に保持されていた液状糊１（図１０（Ｂ）参照）が、第１吐出部３の吐出用開口３ａ１に供給される。その結果、第２の実施形態の液状糊容器によれば、図１０（Ａ）に示すように第１吐出部３が再び下側に向けられた時に、液状糊１を第１吐出部３から迅速に吐出することができる。
【００６８】
更に、第２の実施形態の液状糊容器では、図１０（Ａ）に示すように第１吐出部３が下側に向けられた状態から図１０（Ｂ）に示すように第１吐出部３が上側に向けられた状態に切り換えられた時に、糊溜まり部１４の漏斗部１４ｃ（図９参照）が、第１吐出部３の近傍から第２吐出部６の近傍まで容器本体２内の液状糊１を低速で移動させる機能を有する。換言すれば、図１０（Ａ）に示すように第１吐出部３が下側に向けられた状態から図１０（Ｂ）に示すように第１吐出部３が上側に向けられた状態に切り換えられた時に、第１吐出部３の近傍から第２吐出部６の近傍への容器本体２内の液状糊１の移動を抑制する機能を、糊溜まり部１４の漏斗部１４ｃ（図９参照）が有する。
【００６９】
そのため、第２の実施形態の液状糊容器では、図１０（Ｂ）に示すように第１吐出部３が上側に向けられた状態から図１０（Ａ）に示すように第１吐出部３が再び下側に向けられた状態に切り換えられた時に、容器本体２内の液状糊１の一部が、糊溜まり部１４内に残されている。それゆえ、第２の実施形態の液状糊容器では、図１０（Ａ）に示すように第１吐出部３が再び下側に向けられた時、第２吐出部６の近傍に位置していた液状糊１（図１０（Ｂ）参照）が第１吐出部３の近傍まで移動してくる前に、糊溜まり部１４内に残されていた液状糊１（図１０（Ｂ）参照）が、第１吐出部３の吐出用開口３ａ１に供給される。その結果、第２の実施形態の液状糊容器によれば、図１０（Ａ）に示すように第１吐出部３が再び下側に向けられた時に、液状糊１を第１吐出部３から迅速に吐出することができる。
【００７０】
上述したように、第２の実施形態の液状糊容器では、図１０（Ａ）に示すように第１吐出部３が下側に向けられた状態から図１０（Ｂ）に示すように第１吐出部３が上側に向けられた状態に切り換えられた時に容器本体２内の液状糊１の一部を糊溜まり部１４内に溜めておく機能と、その時に第１吐出部３の近傍から第２吐出部６の近傍への容器本体２内の液状糊１の移動を抑制する機能とが備えられている。そのため、第２の実施形態の液状糊容器によれば、図１０（Ａ）に示すように第１吐出部３が再び下側に向けられた時に、液状糊１を第１吐出部３から迅速に吐出することができる。
【００７１】
また、第２の実施形態の液状糊容器では、図９および図１０に示すように、糊溜まり部１４のフランジ部１４ｂが、容器本体２の第１上側端部２ａの上側端面２ａ１（図２参照）と、第１吐出部３の中央部３ｂの下側端面３ｂ１（図３参照）とによって狭持されている。また、糊溜まり部１４の外側筒状部１４ａの外周面が、容器本体２の第１上側端部２ａの内周面２ａ３（図２参照）と嵌合せしめられている。つまり、糊溜まり部１４が、容器本体２と第１吐出部３とによって狭持されている。
【００７２】
更に、第２の実施形態の液状糊容器では、図９および図１０に示すように、糊溜まり部１４の外側筒状部１４ａが、容器本体２の第１上側端部２ａの上側端面２ａ１（図２参照）から容器本体２の内側に入り込むように配置されている。つまり、容器本体２内の空間が、液状糊１を第１吐出部３の近傍に溜めておくための空間として利用されている。
【００７３】
また、第２の実施形態の液状糊容器では、図９に示すように、糊溜まり部１４の外側筒状部１４ａの上側端面１４ａ１が全面的に開口せしめられている。そのため、第２の実施形態の液状糊容器によれば、図１０（Ａ）に示すように第１吐出部３が再び下側に向けられた時に、糊溜まり部１４内の液状糊１（図１０（Ｂ）参照）を第１吐出部３に迅速に移動させることができる。
【００７４】
また、第２の実施形態の液状糊容器では、図９に示すように、糊溜まり部１４の外側筒状部１４ａの下側端面１４ａ２が、漏斗部１４ｃによって部分的に開口せしめられている。換言すれば、外側筒状部１４ａの下側端面１４ａ２が漏斗部１４ｃによって部分的に閉じられている。そのため、第２の実施形態の液状糊容器によれば、図１０（Ａ）に示すように第１吐出部３が下側に向けられた状態から図１０（Ｂ）に示すように第１吐出部３が上側に向けられた状態に切り換えられた時に、液状糊１が糊溜まり部１４を通過して第１吐出部３から遠ざかってしまうのを遅らせることができる。換言すれば、図１０（Ａ）に示すように第１吐出部３が下側に向けられた状態から図１０（Ｂ）に示すように第１吐出部３が上側に向けられた状態に切り換えられた時に、液状糊１を糊溜まり部１４の漏斗部１４ｃより上側に保持することができる。
【００７５】
更に、第２の実施形態の液状糊容器では、糊溜まり部１４の外側筒状部１４ａとフランジ部１４ｂと漏斗部１４ｃと内側筒状部１４ｄとが一部材によって形成されている。第２の実施形態の液状糊容器の変形例では、代わりに、それらを複数の部材によって形成することも可能である。
【図面の簡単な説明】
【００７６】
【図１】第１の実施形態の液状糊容器の断面図である。
【図２】図１に示した容器本体２の部品図である。
【図３】図１に示した第１吐出部３の部品図である。
【図４】図１に示した糊溜まり部４の部品図である。
【図５】図１に示したキャップ５の部品図である。
【図６】図１に示した第２吐出部６の部品図である。
【図７】図１に示したキャップ７の部品図である。
【図８】液状糊１が第１吐出部３から吐出される時における容器本体２内の液状糊１の状態および液状糊１が第１吐出部３から吐出されない時における容器本体２内の液状糊１の状態を示した図である。
【図９】第２の実施形態の糊溜まり部１４の部品図である。
【図１０】液状糊１が第１吐出部３から吐出される時における容器本体２内の液状糊１の状態および液状糊１が第１吐出部３から吐出されない時における容器本体２内の液状糊１の状態を示した図である。
【符号の説明】
【００７７】
１          液状糊
２          容器本体
２ａ        第１上側端部
２ａ１      上側端面
２ａ２      雄ねじ部
２ａ３      内周面
２ｂ        第２上側端部
２ｂ１      雄ねじ部
２ｃ        中央部
２ｄ        下側端部
２ｄ１      下側端面
２ｄ２      雄ねじ部
２ｄ３      内周面
３          第１吐出部
３ａ        上側端部
３ａ１      吐出用開口
３ｂ        中央部
３ｂ１      下側端面
３ｃ        下側端部
３ｃ１      雌ねじ部
４          糊溜まり部
４ａ        筒状部
４ａ１      上側端面
４ａ２      下側端面
４ａ２ａ    メッシュ部材
４ｂ        フランジ部
５          キャップ
５ａ        栓部
５ｂ        雌ねじ部
５ｃ        スカート部
６          第２吐出部
６ａ        下側端部
６ａ１      吐出用開口
６ａ２      塗布部
６ｂ        中央部
６ｂ１      上側端面
６ｃ        上側端部
６ｃ１      外周面
７          キャップ
７ａ        栓部
７ｂ        雌ねじ部
７ｃ        スカート部
【図１】
2007021737.tif 000003
【図２】
2007021737.tif 000004
【図３】
2007021737.tif 000005
【図４】
2007021737.tif 000006
【図５】
2007021737.tif 000007
【図６】
2007021737.tif 000008
【図７】
2007021737.tif 000009
【図８】
2007021737.tif 000010
【図９】
2007021737.tif 000011
【図１０】
2007021737.tif 000012